(57)【特許請求の範囲】
【請求項１】
ガイドレール１の側端に装着されて、パネル対Ｐの上面側端に設けたランナー５を係合捕捉するフリー折り戸用ランナーキャッチャーであって、
ガイドレール１に固定されるガイド枠２４と、ガイド枠２４でランナー５の走行方向に沿って往復動自在に支持される押圧ブロック２５と、押圧ブロック２５をガイド枠２４から押し出し付勢するばね２６とを備えており、
押圧ブロック２５の外側端に、ランナー５に設けた連結体１４を係合捕捉する捕捉具３９が設けてあり、
ランナー５の連結体１４を捕捉具３９で捕捉した状態において、パネル対Ｐがばね２６のばね力を受けて開口中央の側へ移動付勢されることを特徴とするフリー折り戸用ランナーキャッチャー。
【請求項２】
押圧ブロック２５が、ガイド枠２４で往復スライド自在に支持されて、両者２４・２５の間に設けた圧縮コイル形のばね２６で押し出し付勢されており、
ランナー５のボディ１２の側端に連結体１４が突設されており、
押圧ブロック２５における連結体１４との対向面に、連結体１４に弾性係合する捕捉具３９が突設されている請求項１記載のフリー折り戸用ランナーキャッチャー。
【請求項３】
ガイド枠２４に、断面四角形状のガイド穴７を備えたガイド部２８と、ガイド部２８の下面に突設した断面逆Ｔ字形の締結部２９とが一体に設けられており、
締結部２９と上下に対向する雌ねじ体３０が、ガイド枠２４の側端寄りに配置されており、
締結部２９の下面側からボルト３３を雌ねじ体３０にねじ込んで、雌ねじ体３０と締結部２９とでガイドレール１のレール底壁１ａを上下に挟持することにより、ガイド枠２４がガイドレール１に固定される請求項１又は２記載のフリー折り戸用ランナーキャッチャー。
【発明の詳細な説明】
【０００１】
【発明の属する技術分野】
本発明は、フリー折り戸に適用されて、開口枠の側端に位置するランナーを捕捉するランナーキャッチャーに関する。このランナーキャッチャーには、全閉時のパネル対を開口面の中央側へ押し戻して、隣接するパネル対どうしを密着させる隙間除去機能が付加されたものである。
【０００２】
【従来の技術】
Ｖ字状に屈折できるパネル対を一単位にして、複数のパネル対を個別に屈折開放し、あるいは任意のパネル対を屈折した状態のままでレールに沿って左右移動できるフリー折り戸がある。この種のフリー折り戸は、例えばウォークインクロゼット等に適用されており、各パネル対の開口枠の側端寄りに位置するランナーをランナーキャッチャーで捕捉して、開口面の中央において各パネル対を折りたたみ開閉できるようにしている。例えば、実公平８−７００８号公報にその例をみることができる。
【０００３】
フリー折り戸においては、個々の戸パネルをランナーに吊持のランナー軸を中心にして旋回揺動させる必要上、開口部の左右幅が全てのパネル対の合計幅より大きく設定されている。そのため、全てのパネル対を展開した閉じ状態において、開口中央で隣接するパネル対の側端間に隙間を生じることがある。当出願人は、この隙間除去のための隙間除去具をガイドレールの側端部に設ける形態を提案している（特願平８−２８６５９号）。
【０００４】
その隙間除去具は、図８に示すごとくガイドレール５０の側端に内嵌される角枠状のハウジング５１を有し、ハウジング５１にランナー５２を押し戻し操作する弾性腕５３が一体に設けられている。弾性腕５３はランナー５２を介して戸パネル５４を開口中央側へ押し戻すので、パネル対の間に隙間が生じるのを阻止できる。
【０００５】
【発明が解決しようとする課題】
このようにランナーキャッチャーで捕捉した各パネル対は、それぞれの開放部位を常用位置である開口中央に特定できるうえ、必要時にはランナーキャッチャーとの係合状態を解除して、引き戸と同様に開口側端側を開放できる。しかし、ランナーキャッチャーは元来パネル対を移動不能に係合捕捉しているので、全てのパネルを展開した閉じ状態において、隣接するパネル対の側端間に隙間が生じるのを避けられず、前述の隙間除去具を付加しても、戸パネルを押し戻し操作することはできない。
【０００６】
隙間除去具を併用して、全閉時の隙間をなくすことは不可能ではない。但し、この場合には、ランナーをランナーキャッチャーで押し戻しストローク分だけ遊動できるよう捕捉係合する必要があるが、そうすると、パネル対を開閉する毎にランナーが往復遊動してパネル対ががた付くことを避けられない。隙間除去具を付加した分だけ、余分な部品コストと施工の手間とが掛かる。殆どの場合、ランナーキャッチャーはレール端のデッドスペースを利用してガイドレールに装着されるので、隙間除去具がレール端部に装着される場合に、併用できない。
【０００７】
本発明の目的は、ランナー捕捉機能と、隙間除去機能とを備えたランナーキャッチャーを得ることにあり、以てランナーキャッチャーで捕捉したパネル対の開閉が軽快に行え、しかも全閉状態においては隣接するパネル対の間に隙間が生じるのを避けて、体裁の向上を図ることにある。
【０００８】
【課題を解決するための手段】
本発明では、ランナーキャッチャーをベースにして、これに隙間除去機構を付加することによって、ランナー捕捉機能と隙間除去機能とを備えたランナーキャッチャーを得る。
【０００９】
すなわち、本発明のランナーキャッチャーは、ガイドレール１の側端に装着されて、パネル対Ｐの上面側端に設けたランナー５を係合捕捉する。ランナーキャッチャーは、ガイドレール１に固定されるガイド枠２４と、ガイド枠２４でランナー５の走行方向に沿って往復動自在に支持される押圧ブロック２５と、押圧ブロック２５をガイド枠２４から押し出し付勢するばね２６とを備えている。押圧ブロック２５の外側端に、ランナー５に設けた連結体１４を係合捕捉する捕捉具３９を設ける。ランナー５の連結体１４を捕捉具３９で捕捉した状態において、パネル対Ｐはばね２６のばね力を受けて開口中央の側へ移動付勢されている。
【００１０】
押圧ブロック２５はガイド枠２４で往復スライド自在に支持して、両者２４・２５の間に設けた圧縮コイル形のばね２６で押し出し付勢する。ランナー５のボディ１２の側端に連結体１４を突設し、押圧ブロック２５における連結体１４との対向面に、連結体１４に弾性係合する捕捉具３９を突設する。
【００１１】
ガイド枠２４に、断面四角形状のガイド穴７を備えたガイド部２８と、ガイド部２８の下面に突設した断面逆Ｔ字形の締結部２９とを一体に設ける。締結部２９と上下に対向する雌ねじ体３０を、ガイド枠２４の側端寄りに配置する。締結部２９の下面側からボルト３３を雌ねじ体３０にねじ込んで、雌ねじ体３０と締結部２９とでガイドレール１のレール底壁１ａを上下に挟持することにより、ガイド枠２４をガイドレール１に固定する。
【００１２】
【作用】
押圧ブロック２５はばね２６で常に進出付勢されており、この進出状態においてレール両端に位置する捕捉具３９の間隔は、折り戸を全閉状態にしたときの、レール両端に位置するランナー５の連結体１４の間隔より僅かに小さく設定してある。従って、連結体１４を捕捉具３９で係合捕捉した状態において、隣接するパネル対Ｐを全展張操作して開口面を閉止すると、押圧ブロック２５はばね２６の付勢力に抗してガイド枠２４内へ押し込まれる。このとき、ランナー５は捕捉具３９と押圧ブロック２５を介してばね２６の押圧力を受ける。その結果、パネル対Ｐは開口中央側へ押されるので、隣接するパネル対Ｐを開口中央において密着できる。
【００１３】
ばね２６で進出付勢される押圧ブロック２５に捕捉具３９を設けるので、、ランナー５を捕捉具３９で係合捕捉した状態においては、パネル対Ｐを開閉するときにも、開口側端側の戸パネルＰ１を常に開口中央側へ移動付勢できる。従って、パネル対Ｐの開閉に伴って、戸パネルＰ１が押し戻しストロークの範囲内で遊動するのを阻止し、パネル対Ｐががた付くのを防止できる。
【００１４】
押圧ブロック２５をガイド枠２４でスライド自在に支持し、両者２４・２５間に設けたばね２６で押圧ブロック２５を進出付勢することにより、隙間除去を行えるようにするので、ランナー捕捉機能と隙間除去機能とを備えているランナーキャッチャーを一個のユニット部品としてコンパクトにまとめることができる。ガイド枠２４の上下にガイド部２８と締結部２９を一体に設けたランナーキャッチャーによれば、その構成部品点数が減ることになる。
【００１５】
【実施例】
図１ないし図７は本発明に係るランナーキャッチャーの実施例を示す。図２において、フリー折り戸は２組のパネル対Ｐで構成してあり、開口面の上下に設けたガイドレール１・２で屈折自在に案内支持する。各パネル対Ｐは２個の戸パネルＰ１・Ｐ２の隣接縁どうしをヒンジ３で連結してあり、開口中央側の戸パネルＰ２の屈折縁の近傍に把手４を設ける。ヒンジ３は全展開状態を維持できるクリック機構を備えている。図３に示すように、各パネル対の両側の上面および下面には、それぞれガイドレール１・２で走行案内されるランナー５と振れ止めローラ６とが装着してある。
【００１６】
図３および図４においてランナー５は、ガイドレール１で案内される走行部９と、戸パネルＰ１・Ｐ２に埋め込んだ状態で装着される取付部１０と、走行部９と取付部１０とを連結するランナー軸１１などで構成する。
【００１７】
走行部１０は横長ブロック状のボディ１２と、ボディ１２の前後面において遊転自在に軸支した４個のローラ１３などで構成する。この走行部９が通常のランナーと異なるのは、ボディ１２の一側端に平面視が木の葉形の連結体１４を一体に突設し、さらに他側端にボディ１２を延長して牽制部１５を突設している点にある。牽制部１５の突端面には、断面半円状の突起と凹部とからなる断面Ｓ字形の係合歯１６を形成する（図１参照）。牽制部１５と係合歯１６の機能は後述する。なお、開口中央側の戸パネルＰ２を支持するランナー５に限って、前記連結体１４を省略することができる。
【００１８】
取付部１０は、上端にフランジを有する縦長円筒状のケース１８と、戸パネルＰ１・Ｐ２の裏面側から組まれる横軸体１９とからなる。ケース１８の下端には、逆Ｔ字形のプラグ２０を一体に突設し、このプラグ２０を係合捕捉するソケット２１を横軸体１９に設ける。ソケット２１は、軸心に沿って設けた吊持穴２１ａと、吊持穴２１ａに貫通する状態でＬ字形に形成した係合溝２１ｂとからなり、戸パネルＰ１・Ｐ２に先組みしたプラグ２０に吊持穴２１ａを挿嵌した後、横軸体１９を回動操作してプラグ２０を係合固定する。
【００１９】
ランナー軸１１は高さ調整用のねじ軸を兼ねていて、その下半部のねじ軸がケース１８に設けたねじ穴にねじ込んである。ランナー軸１１の上半の軸部は、走行部９のボディ１２に下面側から挿通した後、軸端をかしめ処理することによって、ボディ１２に対して相対回転自在に連結してある。軸中途部に設けた六角形の操作部２２を回転操作して、ねじ軸のケース１８に対するねじ込み量を変更すると、戸パネルＰ１・Ｐ２の高さ調整を行える。
【００２０】
ランナー５をガイドレール１の側端において係合捕捉するために、一対のランナーキャッチャーをガイドレール１の両端に配置する。図１においてランナーキャッチャーは、ガイドレール１に内嵌固定されるガイド枠２４と、ガイド枠２４で往復スライド自在に案内支持した押圧ブロック２５と、押圧ブロック２５をガイド枠２４から押し出し付勢する圧縮コイル形のばね２６などで構成する。
【００２１】
図４においてガイド枠２４は、その右側面が開口する断面四角形状のガイド穴２７を備えたガイド部２８と、ガイド部２８の下面に突設した逆Ｔ字形の締結部２９とを一体に形成したプラスチック成形品からなり、ガイド枠２４の左側面に雌ねじ体３０を収容する室３１を有する。ガイド部２８と締結部２９との間の前後面には、ガイドレール１のレール底壁１ａを受け入れる溝３２が形成される。締結部２９の左端寄り下面と室３１との間には、図６に示すごとくボルト３３用の挿通穴３４が形成されている。ガイド穴２７に臨むガイド部２８の上壁中央に逃げ溝３５を貫通状に設けてある。
【００２２】
押圧ブロック２５は直方体状のプラスチックブロックからなり、図６に示すようにその左端内部中央に雌ねじ体３０およびボルト３３との接当干渉を避ける凹部３６を設け、凹部３６の前後にばね２６を受け入れるばね受穴３７を形成する。押圧ブロック２５の右側端には、ランナー５のボディ１２に設けた連結体１４を係合捕捉する捕捉具３９を横向きに突設する。捕捉具３９は、弾性変形可能な前後一対の捕捉腕４０を花弁形に突設して形成してあり、各捕捉腕４０の突端にはボディ１２を受け止める接当爪４１が前後に突設してある。
【００２３】
一対のばね２６を押圧ブロック２５のばね受穴３７に組んだ後、ばね２６側から押圧ブロック２５をガイド穴２７内へ挿嵌し、逃げ溝３５の側から押圧ブロック２５にストッパー用のねじ（ビス）４２をねじ込むことにより、押圧ブロック２５はガイド枠２４から進出する向きにばね２６で押し出し付勢され、ねじ４２の頭部が逃げ溝３５の右側端に接当する待機位置に保持される。
【００２４】
上記の状態にあるガイド枠２４の室３１に、板ナットからなる雌ねじ体３０を装填した後、ガイド部２８をガイドレール１内に外側方から挿嵌し、同時に溝３２内にレール底壁１ａを係合する。この状態で、ボルト３３を挿通穴３４を介して雌ねじ体３０にねじ込むことにより、雌ねじ体３０と締結部２９とでレール底壁１ａを上下に挟持し、ランナーキャッチャーをガイドレール１に固定できる（図７参照）。
【００２５】
ランナー５は、パネル対Ｐを構成する各戸パネルＰ１・Ｐ２に対して牽制部１５どうしが対向するように取り付ける。これにより、パネル対をＶ字状に屈折した状態では、図５に示すように牽制部１５どうしが接当して一対の戸パネルＰ１・Ｐ２の近接間隔を規制し、さらに接当端において係合歯１６どうしが互いに凹凸係合して、接当相手側のランナー５の動きを拘束する。このように、隣接するランナー５・５を牽制部１５・１５を介して互いに拘束すると、一対のランナー５・５が同行移動するので、ランナー５・５が蛇行するのをよく防止できる。従ってランナー５・５に大きな傾動モーメントが作用する状態下でも、パネル対Ｐは軽快に直進移動する。
【００２６】
左右のパネル対Ｐのそれぞれを面一状に展張して開口面を閉止すると、両側端に位置するランナー５に設けた連結体１４が、押圧ブロック２５に突設した捕捉具３９で捕捉される。この状態における捕捉具３９の左右間隔は、連結体１４の左右間隔よりも小さく設定してある。そのため、各パネル対Ｐを完全に展張操作すると、図６に示すように押圧ブロック２５はばね２６の付勢力に抗してガイド穴２７内へ押し込まれる。ばね２６は、ランナー５が捕捉具３９に急激に接当するときの緩衝体としても役立つ。
【００２７】
上記のように押圧ブロック２５がレール側端側へスライドした状態では、ねじ４２の操作頭部が逃げ溝３５の溝端で受け止められていた場合とは異なり、ばね２６の張力がランナー５を介して戸パネルＰ１に作用する。その結果、図６の矢印で示すように各パネル対Ｐは前記ばね２６の力で開口面の中央側へ移動操作され、隣接する戸パネルＰ２・Ｐ２の側端面どうしが密着する。つまり、開口面を左右のパネル対Ｐで閉止した状態において、パネル対Ｐの間に隙間が生じるのを防止して、折り戸の体裁を向上できる。なお、開口面の側端に生じる隙間は、板状の戸隠しで覆われているので問題にはならない。
【００２８】
パネル対Ｐを開閉操作するとき、押圧ブロック２５にはガイド枠２４から進出する向きの力と、ガイド枠２４内へ退入する向きの力とが作用する。しかし、押圧ブロック２５はばね６で常に進出する方向へ移動付勢されているので、パネル対Ｐの開閉に伴って、押圧ブロック２５が隙間除去のための押し戻しストロークの範囲内で往復遊動してがた付くのを阻止でき、パネル対Ｐの開閉操作をスムーズに行うことができる。
【００２９】
上記の実施例以外に、捕捉具３９を平面視において木の葉形に形成し、ボディ１２の側に二又状の弾性腕を備えた連結体１４を設けることができる。また、連結体１４と捕捉具３９とは、互いに係合し合う一対の係合体であればよく、必ずしも雌雄の係合関係である必要はない。ばね２６は引っ張りばねや捻りコイルばね等に変更できる。雌ねじ体３０としては市販の六角ナットを用いることができる。
【００３０】
【発明の効果】
本発明では、ランナー５の連結体１４を係合捕捉するための捕捉具３９を押圧ブロック２５に設け、この押圧ブロック２５をガイドレール１の側端に装着したスライド枠２４で往復動自在に支持し、さらにばね２６でガイド枠２４から進出する向きに移動付勢し、ランナー５を係合捕捉した状態において、パネル対Ｐを開口中央側へ移動付勢できるようにした。従って、全閉時のパネル対Ｐどうしを開口面の中央において密着させて、隣接する戸パネルＰ２・Ｐ２の側端間に隙間が生じるのを防止でき、パネル対Ｐの開閉時に戸パネルＰ１が押し戻しストロークの間を遊動するのを解消して、パネル対Ｐを軽快に開閉操作できる。
【００３１】
ランナーキャッチャーに隙間除去機構を付加して、ランナー捕捉機能と隙間除去機能とを備えたランナーキャッチャーを１個のユニット部品として構成するので、ランナーキャッチャーとは別に専用の隙間除去具を併用する場合に比べて、部品コストと施工の手間とを削減して、その分だけ折り戸の全コストを減少できる点でも有利である。
【図面の簡単な説明】
【図１】ランナーキャッチャーの使用状態における横断平面図である。
【図２】フリー折り戸の斜視図である。
【図３】フリー折り戸の縦断側面図である。
【図４】ランナーおよびランナーキャッチャーの分解斜視図である。
【図５】ランナーの牽制部の作用を示す平面図である。
【図６】ランナーキャッチャーの縦断正面図である。
【図７】図６におけるＡ−Ａ線断面図である。
【図８】従来の隙間除去具の縦断側面図である。
【符号の説明】
１  ガイドレール
５  ランナー
１４  連結体
２４  ガイド枠
２５  押圧ブロック
２６  ばね
３９  捕捉具
Ｐ  パネル対
【図１】
0003857785.tif 000002
【図２】
0003857785.tif 000003
【図３】
0003857785.tif 000004
【図４】
0003857785.tif 000005
【図５】
0003857785.tif 000006
【図６】
0003857785.tif 000007
【図７】
0003857785.tif 000008
【図８】
0003857785.tif 000009